(57)【特許請求の範囲】
【請求項１】
シールドの外周形状に対応した形状を有し、坑口の外周に係る部分に対する取付部、弾性部材を含み、シールドの外周全体に対して締め付け力を付与する自由端部、及び該取付部と該自由端部との中間部からなる一体構造のエントランスパッキンであって、
前記中間部及び前記自由端部は、前記取付部との境界に係る部分を基端部としたシールド進行方向における折れ曲げが自在であり、
前記自由端部は、前記中間部との境界に係る部分を基端部としたシールドの外周に対する板ばね付勢が自在であり、
前記中間部は、前記自由端部との境界に係る部分及び前記取付部との境界に係る部分を含む一体の部材であって、該自由端部との境界に係る部分がシールドの外周に当接しながら泥水圧に抵抗することにより前記中間部及び前記自由端部の裏返りを防止する裏返り防止部材を含み、
前記中間部は、弾性部材の内部に、前記裏返り防止部材である板状部材を間欠的に配設してなることを特徴とする、
エントランスパッキン。
【請求項２】
前記自由端部は、シールドの外周全体に対して密着する弾性突起部材を含むことを特徴とする、
請求項１に記載のエントランスパッキン。
【請求項３】
板状部材である前記自由端部は、自由端に係る部分のうち立坑と反対側のみがテーパーになっていることを特徴とする、
請求項１または請求項２に記載のエントランスパッキン。
【請求項４】
前記取付部と前記中間部との境界に係る部分は、弾性部材からなることを特徴とする、
請求項１乃至請求項３のいずれか１項に記載のエントランスパッキン。
【発明の詳細な説明】
【０００１】
【発明の属する技術分野】
本発明は、発進立坑からシールドの発進をさせる場合において用いられるエントランスパッキンに関する。
【０００２】
【従来の技術】
従来のこの種のエントランスパッキンとしては、例えばシールドの外周形状である円形に対応した形状を有しているものがある。
具体的には、例えばエントランスパッキン１０１は、図５に示すように、坑口１０４の外周に係る部分１０３に対する取付部１１１ａ、及びシールド１０２の外周全体に対して締め付け力を付与する自由端部１１１ｂからなる板状の弾性部材たるゴムリング１１１と、ゴムリング１１１の立坑側に間欠的に添設され、坑口１０４の外周に係る部分１０３に対する取付部１１２ａ、及び自由端部１１２ｂからなり、取付部１１２ａと自由端部１１２ｂとの境界に係るヒンジ部分を基端部１１２ｃとしたシールド進行方向における折れ曲げが自在である鋼製の裏返り防止金具１１２とから構成されている。
【０００３】
かかるエントランスパッキン１０１によれば、図５に示すように、坑口１０４からシールド１０２が挿入されると、ゴムリング１１１の自由端部１１１ｂがシールド１０２の外周全体に対して締め付け力を付与すると同時に、裏返り防止金具１１２の自由端部１１２ｂの先がシールド１０２の外周に当接しながら泥水圧Ｐに抵抗することによりゴムリング１１１の裏返りを防止し、もってシールド１０２と坑口１０４の外周に係る部分１０３との隙間１０５から立坑内への泥水の流入を阻止することができる。
【０００４】
【発明が解決しようとする課題】
しかしながら、このタイプのエントランスパッキン１０１では、ゴムリング１１１と、裏返り防止金具１１２とが別個独立に分離構成されていることから、泥水の部分的な漏れを回避できないという不都合を内在している。
【０００５】
即ち、ゴムリング１１１のうち、自由端部１１１ｂは、同図に示すように、ゴムリング１１１の有する弾性によりシールド１０２の外周全体に対して締め付け力を付与しているのみならず、取付部１１１ａとの境界に係る部分を基端部１１１ｃとした一種の板ばねとなってシールド１０２の外周に対して押圧力を付勢していることとなっているが、この基端部１１１ｃから自由端部１１１ｂの先まで相当に距離があり、本来的に付勢し得る押圧力に限界がある。
【０００６】
また、施工精度やシールド１０２の製作精度との関係上、坑口１０４を実際に通過している時におけるシールド１０２の外径中心とエントランスパッキン１０１の内径中心とが必ずしも正確には合致しないのが現実である。
【０００７】
従って、シールド１０２の外周に対するゴムリング１１１の密着に部分的な欠陥ができ易く、それ故に、泥水の部分的な漏れを回避できない。
【０００８】
そこで、本発明の課題は、発進立坑からシールドの発進をさせる場合において、シールドとの隙間から泥水の部分的な漏れが生じないように、泥水の阻止機能を安定的に発揮させることができるエントランスパッキンを提供することにある。
【０００９】
【課題を解決するための手段】
即ち、本発明に係るエントランスパッキンは、シールドの外周形状に対応した形状を有し、坑口の外周に係る部分に対する取付部、弾性部材を含み、シールドの外周全体に対して締め付け力を付与する自由端部、及び該取付部と該自由端部との中間部からなる一体構造のエントランスパッキンであって、前記中間部及び前記自由端部は、前記取付部との境界に係る部分を基端部としたシールド進行方向における折れ曲げが自在であり、前記自由端部は、前記中間部との境界に係る部分を基端部としたシールドの外周に対する板ばね付勢が自在であり、前記中間部は、前記自由端部との境界に係る部分及び前記取付部との境界に係る部分を含む一体の部材であって、該自由端部との境界に係る部分がシールドの外周に当接しながら泥水圧に抵抗することにより前記中間部及び前記自由端部の裏返りを防止する裏返り防止部材を含むことを特徴としている。
【００１０】
本発明に係るエントランスパッキンによれば、単に、シールドの外周全体に対する締め付け力の付与や中間部及び自由端部の裏返りの防止ができるのみならず、中間部との境界に係る部分を基端部としたシールドの外周に対する板ばね付勢が強力にできるので、発進立坑からシールドの発進をさせる場合において、泥水の阻止機能を安定的に発揮させることができる。そして、それ故に、シールドとの隙間から泥水の部分的な漏れが生ずることがない。
【００１１】
このような技術的手段において、前記中間部としては、取付部との境界に係る部分を基端部としたシールド進行方向における折れ曲げが自在であり、自由端部との境界に係る部分がシールドに当接しながら泥水圧に抵抗することにより中間部及び自由端部の裏返りを防止する裏返り防止部材を含むものであれば、弾性部材を含む構成とするか含まない構成とするか等の別を問わない。
【００１３】
但し、弾性部材の損耗を可及的に抑えるという観点からすれば、前記中間部としては、弾性部材の内部に、前記裏返り防止部材である板状部材を間欠的に配設してなることが好ましい。
【００１４】
この場合において、前記自由端部としては、中間部との境界に係る部分を基端部としたシールドの外周に対する板ばね付勢ができるものであれば、弾性部材が一部に含まれるか全部に含まれるか等の別を問わず、シールドの外周と接触する部分の形状や構造等も適宜選定して差し支えない。
【００１５】
但し、より完全な泥水の阻止機能を発揮させる観点からすれば、前記自由端部としては、シールドの外周全体に対して密着する弾性突起部材を含むことが好ましい。
【００１６】
また、前記自由端部が板状部材である場合において自由端に係る部分のめくり上がりを防止するという観点からすれば、前記自由端部としては、自由端に係る部分のうち立坑と反対側のみがテーパーになっていることが好ましい。
【００１７】
また、前記取付部と前記自由端部との境界に係る部分としては、該部分を基端部としたシールド進行方向における折れ曲げの自在性が確保できるものであれば、ヒンジ構造により折れ曲げ自在としても、その他構造により折れ曲げ自在としても差し支えない。
【００１８】
但し、機械的構造を回避してコストの低廉化を図るという観点からすれば、前記取付部と前記自由端部との境界に係る部分は、弾性部材からなることが好ましい。
【００１９】
【発明の実施の形態】
以下、添付図面に示す実施の形態に基づいて本発明を詳細に説明する。
【００２０】
◎参考実施形態
図１は参考実施形態におけるエントランスパッキンの概略構成を示す側面図、図２は該エントランスパッキンの詳細構成を示す図（図２（ａ）は側面図、図２（ｂ）は正面図）である。
【００２１】
この参考実施形態において、エントランスパッキン１は、図１に示すように、弾性板状部材たるゴムリング１１と、ゴムリング１１の中央部分１１ｂの立坑側に対して間欠的に固着される裏返り防止部材である板状部材としてのフラットバー１２と、ゴムリング１１の外側部分１１ａに対して添設されるスペーサー１３ａ、押さえ鉄板１３ｂ及び締結ボルト１３ｃからなる坑口４の外周に係る部分３に対する取付部材１３とから構成されている。
【００２２】
そして、このエントランスパッキン１は、図示しないが、この参考実施形態に係るシールド２の外周形状である円形に対応した形状であるリング形状を有することとなっている（図２（ｂ）参照）。
【００２３】
しかし、このエントランスパッキン１は、このようなリング形状に限られるものではなく、例えば、シールドの横断面形状が馬蹄形の場合、エントランスパッキン１も馬蹄形に対応した形状となり、シールドの横断面形状が楕円形の場合、楕円形に対応した形状となる。
【００２４】
かかるエントランスパッキン１は、具体的には、図１に示すように、外側を構成する取付部２１と、内側を構成する自由端部２２と、取付部２１と自由端部２２との間を構成する中間部２３とからなる一体構造のものとして構成されている。
【００２５】
ここで、取付部２１は、エントランスパッキン１が坑口４の外周に係る部分３に取り付けられる部分としての役割を果たす。
【００２６】
この取付部２１は、具体的には、図１に示すように、坑口４の外周に係る部分３に添設されるゴムリング１１の外側部分１１ａと、この外側部分１１ａの更に外側に添設されるスペーサー１３ａと、スペーサー１３ａの外側に添設される押さえ鉄板１３ｂと、坑口４の外周に係る部分３に対してゴムリング１１、スペーサー１３ａ及び押さえ鉄板１３ｂを締結する締結ボルト１３ｃとからなっている。
【００２７】
尚、取付部２１には、図２（ａ）に示すように、坑口４の外周に係る部分３の全周に対して密着する弾性突起部材１１ｆが設けられている。この弾性突起部材１１ｆは、取付部２１と坑口４の外周に係る部分３との隙間から泥水が裏廻りして漏れる事態を未然に防止する役割を果たす。
【００２８】
尚、図２（ａ）においては、弾性突起部材１１ｆが坑口４の外周に係る部分３の中へと嵌挿されているかのように示されているが、実際はこれと異なり、弾性突起部材１１ｆの突起形状は坑口４の外周に係る部分３との間で押しつぶされた状態となっている。
【００２９】
また、中間部２３は、図２（ｂ）に示すように、ゴムリング１１の中央部分１１ｂと、この中央部分１１ｂの立坑側に間欠的に固着されるフラットバー１２とから構成されている。
【００３０】
ここで、ゴムリング１１及びフラットバー１２は、具体的には、図２に示すように、接続ボルト１２ａによって相互に固着されており、これにより一体構造になっている。
【００３１】
また、フラットバー１２は、後述するように、裏返り防止部材としての作用を奏するものであることから、図１に示すように、自由端部２２との境界に係る部分及び取付部２１との境界に係る部分を含む一体の部材として構成されている。ここで、ゴムリング１１及びフラットバー１２の裏返り防止について万全を期す観点から、押さえ鉄板１３ｂのゴムリング１１側には、泥水圧を受けた場合において取付部２１との境界に係る部分が当接することとなるストッパー１４が設けられている。
【００３２】
更に、自由端部２２は、シールド２の外周全体に対して締め付け力を付与する役割を果たす。この自由端部２２は、図１に示すように、ゴムリング１１の内側部分１１ｃのみからなっている。
【００３３】
以上のような構成を有するエントランスパッキン１において、中間部２３及び自由端部２２は、図１に示すように、取付部２１との境界に係る部分を基端部１１ｄとしたシールド進行方向における折れ曲げが自在になっている。
【００３４】
即ち、取付部２１と自由端部２２との境界に係る部分が弾性部材たるゴムで構成されることにより、該部分を基端部１１ｄとしたシールド進行方向における折れ曲げの自在性が確保されている。ここで、折れ曲げの基端部１１ｄを弾性部材たるゴムによって構成したのは、ヒンジ構造等の高価な機械的構造を回避することによりコストの低廉化をねらったという理由による。
【００３５】
一方、自由端部２２は、図１に示すように、中間部２３との境界に係る部分を基端部１１ｅとしたシールド２の外周に対する板ばね付勢が自在になっている。
【００３６】
ここで、この自由端部２２には、図２（ａ）に示すように、シールド２の外周全体に対して密着する弾性突起部材１１ｇが設けられている。この弾性突起部材１１ｇは、より完全な泥水の阻止機能を発揮させる役割を果たす。
【００３７】
尚、図２（ａ）においては、弾性突起部材１１ｇがシールド２の中へと嵌挿されているかのように示されているが、実際はこれと異なり、弾性突起部材１１ｇの突起形状はシールド２との間で押しつぶされた状態となっている。
【００３８】
また、自由端部２２は、自由端に係る部分のうち立坑と反対側のみがテーパー１１ｈに構成されている。このテーパー１１ｈは、自由端に係る部分のめくり上がりを防止する役割を果たす。
【００３９】
次に、図１及び図２を用いて、この参考実施形態に係るエントランスパッキン１の作用について説明する。尚、説明の便宜上、坑口４に係る地山領域が薬液注入工法によって改良されているものとする。
【００４０】
まず、発進立坑からシールド２が発進して前方向へと進行していくと、シールド２の外周に係る前端部がフラットバー１２及びこれと一体であるゴムリング１１を押し退けていく。
【００４１】
すると、フラットバー１２及びゴムリング１１からなる中間部２３並びにゴムリング１１のみからなる自由端部２２が、基端部１１ｄとしての取付部２１との境界に係る部分を中心にシールド２の進行方向において折れ曲げられる。
【００４２】
続いて、シールド２が更に前方向へと進行していくと、シールド２の外周に係る前端部がゴムリング１１のみからなる自由端部２２を押し広げていく結果、シールド２は自由端部２２の内側に挿入されることとなる。
【００４３】
すると、自由端部２２は、シールド２にて押し広げられたことに基づく弾性復帰力によって、シールド２の外周全体に対して締め付け力を付与する。
【００４４】
そして、シールド２が更に前方向へと進行していくと、シールド２が薬液注入工法により改良した領域を貫通することとなる結果、シールド２と地山との隙間から泥水が立坑方向へと浸入してくる。
【００４５】
泥水は、自由端部２２がシールド２の外周全体に対して締め付け力を付与しており、また、取付部２１が坑口４の外周に係る部分３全体に対して密着されており、更にエントランスパッキン１が一体構造であることから、直ちに、シールド２と地山との隙間及びシールド２と坑口４の外周に係る部分３との隙間に充填されることとなる。
【００４６】
その結果、エントランスパッキン１に対しては、泥水によって泥水圧Ｐが付与されることとなる。
【００４７】
エントランスパッキン１に対して泥水圧Ｐが付与されると、中間部２３及び自由端部２２のうちゴムリング１１に係る部分では、泥水圧Ｐに抵抗できない結果、立坑側へと裏返りそうになる。
【００４８】
しかし、中間部２３及び自由端部２２のうちフラットバー１２に係る部分では、自由端部２２との境界に係る部分をシールド２の外周に当接させることにより泥水圧Ｐに抵抗する。
【００４９】
その結果、中間部２３及び自由端部２２の裏返りは、未然に防止されることとなる。
【００５０】
ここで、施工精度やシールド２の製作精度に起因して、シールド２の外径中心とエントランスパッキン１の内径中心とで不可避的にズレを生じた状態においてシールド２が坑口４を通過していくときに、シールド２の外周に対するゴムリング１１の密着に部分的な欠陥ができ、泥水の部分的な漏れを生じる虞が懸念される。
【００５１】
しかし、自由端部２２は、シールド２の外周全体に対して締め付け力を付与しているのみならず、中間部２３との境界に係る部分を基端部１１ｅとしたシールド２の外周に対する板ばね付勢がされているので、そのような部分的な欠陥ができる虞は殆どなく、それ故に、泥水の部分的な漏れが生じない。
【００５２】
また、自由端部２２には、シールド２の外周に対して密着する弾性突起部材１１ｇが設けられていることから、より完全な泥水の阻止機能が担保されることとなる。
【００５３】
更に、自由端部２２は自由端に係る部分のうち立坑と反対側のみがテーパー１１ｈに構成したことから、シールド２と自由端に係る部分との間に偶発的にレキなどが挟み込まれ、これにより自由端に係る部分のめくり上がりが発生することとなる結果、泥水の部分的な漏れが生じる事態を招くこともない。
【００５４】
従って、この参考実施形態に係るエントランスパッキン１によれば、発進立坑からシールド２の発進をさせる場合において、泥水の阻止機能を安定的に発揮させることができる。そして、それ故に、シールド２との隙間から泥水の部分的な漏れが生ずることがない。
【００５５】
◎実施の形態
図３は本発明に係る実施の形態におけるエントランスパッキン３１の概略構成を示す側面図、図４は該エントランスパッキン３１の詳細構成を示す図（図４（ａ）は側面図、図４（ｂ）は正面図）である。尚、参考実施形態と同様な構成要素については参考実施形態と同様な符号を付してここではその詳細な説明を省略する。
【００５６】
この実施の形態に係るエントランスパッキン３１は、参考実施形態と略同様であるが、参考実施形態と異なり、中間部２３がゴムリング１１の内部にフラットバー４２を間欠的に配設してなる構成となり、それ故に、取付部２１がスペーサー１３ａを含まない構成となっている。
【００５７】
従って、この実施の形態に係るエントランスパッキン３１によれば、参考実施形態と同様の機能を発揮するフラットバー４２をゴムリング１１の内部に配設しているので、参考実施形態と同様の効果が享受できるというだけでなく、ゴムリング１１の損耗を可及的に抑えることができるという効果も享受できることとなる。
【００５８】
【発明の効果】
本発明に係るエントランスパッキンによれば、以上のように構成したため、発進立坑からシールドの発進をさせる場合において、シールドとの隙間から泥水の部分的な漏れが生じないように、泥水の阻止機能を安定的に発揮させることが可能になる。
【図面の簡単な説明】
【図１】  参考実施形態におけるエントランスパッキンの概略構成を示す側面図である。
【図２】  参考実施形態におけるエントランスパッキンの詳細構成を示す図（図２（ａ）は側面図、図２（ｂ）は正面図）である。
【図３】  本発明に係る実施の形態におけるエントランスパッキンの概略構成を示す側面図である。
【図４】  本発明に係る実施の形態におけるエントランスパッキンの詳細構成を示す図（図４（ａ）は側面図、図４（ｂ）は正面図）である。
【図５】  従来例におけるエントランスパッキンの概略構成を示す側面図である。
【符号の説明】
１…エントランスパッキン
２…シールド
３…外周に係る部分
４…坑口
１１…ゴムリング
１１ａ…外側部分
１１ｂ…中央部分
１１ｃ…内側部分
１１ｄ…基端部
１１ｅ…基端部
１１ｆ…弾性突起部材
１１ｇ…弾性突起部材
１１ｈ…テーパー
１２…フラットバー
１２ａ…接続ボルト
１３…取付部材
１３ａ…スペーサー
１３ｂ…押さえ鉄板
１３ｃ…締結ボルト
１４…ストッパー
２１…取付部
２２…自由端部
２３…中間部
１０１…エントランスパッキン
１０２…シールド
１０３…外周に係る部分
１０４…坑口
１０５…隙間
１１１…ゴムリング
１１１ａ…取付部
１１１ｂ…自由端部
１１１ｃ…基端部
１１２…裏返り防止金具
１１２ａ…取付部
１１２ｂ…自由端部
１１２ｃ…基端部
【図１】
0004275292.tif 000002
【図２】
0004275292.tif 000003
【図３】
0004275292.tif 000004
【図４】
0004275292.tif 000005
【図５】
0004275292.tif 000006